(57)【特許請求の範囲】
【請求項１】
あらかじめ登録された収録スケジュールに基づいて収録する収録素材の情報を通知する情報管理サーバーと、複数の系統の収録素材が同時に入力され、入力された前記複数の収録素材の中から選択された収録素材を複数系統出力するスイッチャと、前記スイッチャから出力された複数系統の収録素材をエンコードするエンコーダと、前記エンコーダの出力データを転送する収録転送管理サーバーと、前記転送されたデータを記録するサーバーと、前記通知された情報に従って前記スイッチャと前記エンコーダと前記収録管理サーバーとを制御する収録コントローラと、前記情報管理サーバーを操作する再生収録端末または収録端末とを備えた収録システムにおいて、
前記情報管理サーバーは、前記再生収録端末または収録端末からスケジュール再割当て時に再割当てされた収録素材の情報に即時収録開始フラグを設け、
前記収録コントローラは、前記通知された情報に即時収録開始フラグがある場合には、所定時間内に収録を開始するように処理を制御することを特徴とする収録システム。
【請求項２】
請求項１記載の収録システムにおいて、前記収録コントローラは、前記通知された情報に即時収録開始フラグがない場合には、所定のスタンバイ時間経過後に収録を開始するように処理を制御することを特徴とする収録システム。
【請求項３】
請求項１または請求項２に記載の収録システムにおいて、前記収録コントローラは、前記通知された情報に即時収録開始フラグがある収録素材の収録の通知を受けた場合には、前記エンコーダおよび前記収録転送管理サーバーを制御し、通常のスタンバイ時間より早く収録を開始することを特徴とする収録システム。
【発明の詳細な説明】
【技術分野】
【０００１】
本発明は、複数の回線から伝送される放送素材を収録する収録システムに関わり、特に、収録システムのビデオサーバーに取り込むために収録制御を行う収録コントローラに関する。
【背景技術】
【０００２】
ビデオサーバー等の収録機器に、複数のチャネル（例えば、１０００ｃｈ）のＨＤ−ＳＤＩ（ High Definition−Serial Digital Interface ）入力系統から、収録素材（放送素材）を収録する場合には、入力される系統が極めて多い。さらに、エンコーダの数も多い（例えば、８〜７０ｃｈ）。このため、収録スケジュールの管理が非常に難かしかった。
【０００３】
また収録スケジュールを登録する段階においても、系統やエンコーダの数が多いことは、他の収録素材の収録系統や収録時間の把握の困難性を増し、収録スケジュールの重複を防止できない。従って、１人または複数の操作者が、収録端末、再生端末、若しくは、上位機器である報道情報システムを介して割当てして、あらかじめ登録した、収録スケジュールの中にも、割当てＮＧとなる収録素材が内包されていることが避けられない。
また、従来は、通常の収録素材の収録の場合には、上記のあらかじめ登録されたスケジュールで収録素材の割当てや収録時間が管理される。割当てられた時刻になると収録素材の情報が収録系統部の収録コントローラに通知され、収録コントローラが収録処理を制御する。
収録開始時間は、現在時刻の約３０秒後（スタンバイ時間経過後）に設定されることにより、収録ポートに自動的に収録が開始されていた。この３０秒は、パラメータで、収録システムを設定するときに任意に可変可能である。しかし、収録ポートの準備（スタンバイ）時間を考慮しての遅延時間であり、必要不可欠な時間であるとされていた。
【０００４】
なお、即時に収録を開始する場合には、操作者が操作機の緊急ＲＥＣ（緊急収録）ボタンを押すと実行できる。しかし、あらかじめ、スケジュールに従って自動収録することが基本であるスケジュール管理（自動収録スケジュール実施環境）上では、緊急ＲＥＣボタン操作は採用されておらず、緊急ＲＥＣボタンよる緊急収録ができなかった。
【先行技術文献】
【特許文献】
【０００５】
【特許文献１】特開２００６−０９４０５２号公報
【発明の概要】
【発明が解決しようとする課題】
【０００６】
上述のように、スケジュールに従って自動収録するスケジュール管理（自動収録スケジュール実施環境）上において、緊急ＲＥＣボタンと同様な操作ができず、スケジュール管理の問題となっていた。
本発明の目的は、自動収録スケジュール実施環境において、割当失敗時の再割り当て時に、迅速に収録開始可能な収録システムを提供することにある。
【課題を解決するための手段】
【０００７】
上記の課題を解決するために、本発明の収録システムは、自動収録スケジュール実施環境において、内部機器間の通信インタフェースに即時開始を明示する即時収録開始フラグを設けて、収録準備が出来次第、収録を開始できるようにしたものである。
【０００８】
即ち、上記課題を解決するために、本発明の収録システムは、あらかじめ登録された収録スケジュールに基づいて収録する収録素材の情報を通知する情報管理サーバーと、複数の系統の収録素材が同時に入力され、入力された前記複数の収録素材の中から選択された収録素材を複数系統出力するスイッチャと、前記スイッチャから出力された複数系統の収録素材をエンコードするエンコーダと、前記エンコーダの出力データを転送する収録転送管理サーバーと、前記転送されたデータを記録するサーバーと、前記通知された情報に従って前記スイッチャと前記エンコーダと前記収録管理サーバーとを制御する収録コントローラと、前記情報管理サーバーを操作する再生収録端末または収録端末とを備えた収録システムにおいて、前記情報管理サーバーは、前記再生収録端末または収録端末からスケジュール再割当て時に再割当てされた収録素材の情報に即時収録開始フラグを設け、前記収録コントローラは、前記通知された情報に即時収録開始フラグがある場合には、所定時間内に収録を開始するように処理を制御するものである。
【０００９】
好ましくは、上記発明の収録システムにおいて、前記収録コントローラは、前記通知された情報に即時収録開始フラグがない場合には、所定のスタンバイ時間経過後に収録を開始するように処理を制御することを特徴とする。
より好ましくは、上記発明の収録システムにおいて、前記収録コントローラは、前記通知された情報に即時収録開始フラグがある収録素材の収録の通知を受けた場合には、前記エンコーダおよび前記収録転送管理サーバーを制御し、通常のスタンバイ時間より早く収録を開始することを特徴とする。
【発明の効果】
【００１０】
本発明によれば、自動収録スケジュール実施環境上で割当ＮＧスケジュールを再割り当てした場合において、収録開始時刻が現在時刻を過ぎている場合（現在時刻を含む）に、迅速に収録が開始可能となった。また、収録素材の開始タイムコードに開始結果が反映されるため、開始位置は結果より判定可能となった。
【図面の簡単な説明】
【００１１】
【図１】本発明の収録システムの自動収録スケジュール実施環境における収録系統部の一実施例の機器構成を示すブロック図である。
【図２】本発明の収録システムの自動収録スケジュール実施環境における自動収録の一実施例のタイムチャートである。
【図３】本発明の収録システムの自動収録スケジュール実施環境における即時収録の一実施例のタイムチャートである。
【図４】本発明の収録システムの自動収録スケジュール実施環境における収録コントローラの処理動作の一実施例を示すフローチャートである。
【図５】本発明の収録システムの自動収録スケジュール実施環境で収録端末に表示される収録スケジュール一覧画面の一実施例をしめす図である。
【図６】本発明の収録システムの自動収録スケジュール実施環境における再割当て（即時開始）時の処理手順の一実施例を示すタイミングチャートを示す図である。
【図７】本発明の収録システムの自動収録スケジュール実施環境における手動収録（緊急ＲＥＣ）の処理手順の一実施例を示すタイミングチャートを示す図である。
【図８】本発明の収録システムの自動収録スケジュール実施環境における収録時刻変更時の処理手順の一実施例を示すタイミングチャートを示す図である。
【発明を実施するための形態】
【００１２】
図１を用いて、本発明の収録システムの一実施例について説明する。図１は、本発明の収録システムの一実施例の機器構成を示すブロック図である。１００は収録系統部、１５１は報道情報、１５２はあらかじめ登録されたスケジュールに基づいて収録する収録素材の情報を通知する情報管理サーバー、１５３は再生収録端末、１５４は収録端末、１６１は収録素材の管理を行う素材管理サーバー、１６２はプロキシ管理サーバー、１７１は素材サーバー、１７２はプロキシサーバー、１８１はマトリックススイッチ（ＭＴＸ）である。また収録系統部１００において、１０１は収録コントローラ、１０２は収録制御切替器、１０３は１６分割制御装置、１０４は１６分割合成装置、１０５はマトリックス（ＭＴＸ）コントローラ、１０６はＲＳ４２２切替器、１０７は２：１切替器、１０８は高解像度／低解像度エンコーダ、１０９は収録転送管理サーバーである。なお、ＲＳ４２２切替器は、他のインタフェース（例えば、ＲＳ４８５、ＲＳ２３２Ｃ、ＵＳＢ、等）が用いられれば、他のインタフェースの切替器が採用される。
【００１３】
収録系統部１００は、収録システム内の情報管理サーバー１５２から入力される収録スケジュール、または、再生収録端末１５３若しくは収録端末１５４からの収録操作によりＭＴＸコントローラ１０５や高解像度／低解像度エンコーダ１０８を制御し、素材サーバー１７１およびプロキシサーバー１７２へ収録素材を収録するための収録処理を行う。即ち、再生収録端末１５３、収録端末１５４、若しくは、報道情報システム１５１等の上位機器を介して割当て、あらかじめ登録された収録スケジュールの中の収録素材の収録時間が現在時刻の２日前（以内）になった場合（スタンバイ時間を含む）に、情報管理サーバー１５２は、当該収録素材の情報を収録コントローラ１０１に通知する。収録コントローラ１０１は、通知された収録素材の情報に基づいて、各機器を制御し、当該収録素材の収録処理を実行する。
【００１４】
ＭＴＸ１８１は２台あり、同時に複数の系統（例えば、１０００ｃｈ）の映像データやプロキシデータを入力可能で、情報管理サーバー１５２から入力される収録スケジュール、または、再生収録端末１５３若しくは収録端末１５４からの収録操作に基づいて、必要な系統から映像データやプロキシデータを入力し、入力されたデータを１６分割合成装置１０４、２：１切替器１０７および高解像度／低解像度エンコーダ１０８に出力する。２：１切替器１０７は、いずれかのＭＴＸ１８１から入力されたデータの選択されている方に切替えて、高解像度／低解像度エンコーダ１０８に出力する。高解像度／低解像度エンコーダ１０８は、同時に複数系統（例えば、８〜７０ｃｈ）のエンコード処理が可能で、収録コントローラ１０１の制御に基づいて、入力されるデータをエンコードして収録転送管理サーバー１０９に出力する。収録転送管理サーバー１０９は、入力されたデータの管理情報を、素材管理サーバー１６１若しくはプロキシ管理サーバー１６２に転送する。また、収録転送管理サーバー１０９は、入力されたデータを、素材サーバー１７１若しくはプロキシサーバー１７２に転送する。それぞれのサーバー１６１、１６２、１７１、および１７２は、入力されたデータを記録する。
【００１５】
なお、収録系統部１００の各コントローラは、冗長構成となっている。本番系と待機系の２台からなり、本番系が制御を行う。例えば、収録コントローラ１０１、１６分割制御装置１０３、及びＭＴＸコントローラ１０５は、本番系と待機系でそれぞれ１台ずつ、計２台備える。
情報管理サーバー１５２、再生収録端末１５３、若しくは収録端末１５４から入力される、収録系統部１００の収録コントローラ１０１への制御指示は、本番系と待機系の両方に行われ、本番系のみが、指示に対する制御結果の応答を返す。即ち、本番系は、制御結果の応答を、上記制御指示を出力した機器に出力する。
好ましくは、本番系は、制御結果の上記応答を、上位の端末すべて、即ち、情報管理サーバー１５２、再生収録端末１５３、および収録端末１５４全てに出力する。
また、好ましくは、特定の上位の端末がなくても、収録状況を共有可能とするため、収録用の１６分割制御装置１０３は、収録用の１６分割合成装置１０４を制御し、収録映像を１６分割合成装置１０４に表示する。
【００１６】
図２を用いて、本発明に係わる収録システムの自動収録のタイムチャートを説明する。図２は、本発明の収録システムおよび収録系統部の自動収録スケジュール実施環境（あらかじめ、スケジュールに従って自動収録することが基本であるスケジュール管理）における自動収録の一実施例のタイムチャートである。横軸は時間である。
図２において、収録系統部１００の収録コントローラ１０１は、情報管理サーバー１５２から入力される収録スケジュールの通知に従い、事前に、前の収録が終了後、ＭＴＸ１８１の所定の接続系統を確保する（ＭＴＸ確保）。
スタンバイ制御時には、収録コントローラ１０１は、収録開始３０秒前に、収録ポート（高解像度／低解像度エンコーダ１０８および収録転送管理サーバー１０９）をスタンバイする。同時に、収録コントローラ１０１は、再度、ＭＴＸ確保状態であることか確認する。なお、スタンバイのタイミング時間（３０秒）は、収録系統部１００の環境設定に従う。
スタンバイが完了した状態で、収録開始時刻（即ち、収録開始タイムコード）から映像の収録を開始する。
収録コントローラ１０１は、収録終了後、収録ポートを開放し、次の収録スケジュール用にＭＴＸ確保を行う。
【００１７】
次に、図３を用いて、本発明に係わる収録システムの即時収録のタイムチャートを説明する。図３は、本発明の収録システムの自動収録スケジュール実施環境における即時収録の一実施例のタイムチャートである。横軸は時間である。
図３において、収録系統部１００の収録コントローラ１０１は、通常は図２で説明したように自動収録スケジュール作業を実行している。
しかし、収録コントローラ１０１は、情報管理サーバー１５２から入力される収録素材の情報の通知に、即時収録開始フラグがある場合には、スケジュールの通知と同時に、収録ポートのスタンバイを行い、スタンバイされた状態であることを認識した後、すぐに収録を開始させる。なお、スタンバイのタイミング時間は、収録系統部１００の環境設定に関係なく、収録準備が出来次第、通常のスタンバイ時間より短時間で、収録を開始する（即ち、収録コントローラ１０１から入力される収録開始コマンドに従う）。
なお、先頭のタイムコードは、収録を開始したタイムコードとなり、開始通知で通知される。
また、図３の動作は、上記説明を除いて、図２と同様である。
【００１８】
図４を用いて、本発明の収録システムの処理動作を説明する。図４は、本発明の収録システムの自動収録スケジュール実施環境における収録コントローラ１０１の処理動作の一実施例を示すフローチャートである（図１〜図３参照）。
図４において、自動収録が実行されると、ステップ４０１では、ＭＴＸ確保が実行される。ステップ４０２では、通知された収録素材の情報の中に、即時収録開始フラグがあるか否かを判定する。即時収録開始フラグがある場合にはステップ４０３に進み（図２のタイムチャート参照）、即時収録開始フラグがなければ、ステップ４０７に進む（図３のタイムチャート参照）。
【００１９】
ステップ４０３では、スタンバイ時間（収録開始３０秒前）か否かを判定する。スタンバイ時間であればステップ４０４に進み、スタンバイ時間でなければステップ４０３を繰返す。
ステップ４０４では、収録ポートをスタンバイ状態とする。
ステップ４０５では、収録開始か否かを判定する。即ち、環境設定が３０秒であれば、スタンバイ後３０秒経過したか否かを判定する。３０秒経過した場合にはステップ４０６に進み、３０秒経過していない場合にはステップ４０５を繰返す。
ステップ４０６では、収録を開始し、収録開始後、収録終了以降の動作は、図２で説明した通りである。
【００２０】
次に、ステップ４０７では、収録ポートをスタンバイ状態とする。
ステップ４０８では、スタンバイが完了したか否かを判定する。スタンバイ完了であればステップ４０９に進み、スタンバイが完了していなければステップ４０８を繰返す。
ステップ４０９では、収録を開始し、収録開始後、収録終了以降の動作は、図３で説明した通りである。
ステップ４０８による、スタンバイの完了の判定条件は、ステップ４０５の判定条件と異なる。即ち、ステップ４０５の判定条件が、収録システムのシステム条件として、固定（例えば、３０秒）であるのに対し、収録システムの操作者が、収録ポートの状態に基づいて、任意に設定可能である。その結果、３０秒経過しなくても収録を開始することが可能となるため、迅速な収録ができる。
【００２１】
図５を用いて、本発明の収録システムの自動収録スケジュール実施環境で使用する収録スケジュール一覧画面について説明する。図５は、本発明の収録システムの収録端末１５４に表示される収録スケジュール一覧画面の一実施例を示す図である。５００は収録端末１５４の表示画面に表示される収録スケジュール表示画面、５１０は収録スケジュール一覧表、５１１〜５１３は割当てられた収録素材（コンテンツ）のタイトル、５３０は割当てＮＧとなった収録素材の情報を表示する割当てＮＧスケジュール一覧表、５３１と５３２は割当てＮＧとなった収録素材を行毎に表示するＮＧ収録素材情報表示欄、５４１は割当てＮＧとなった収録素材を選択後、再度スケジュール割当てするための再割当ボタンである。なお、収録端末１５４の表示画面に表示される収録スケジュール表示画面５００の操作は、図示しない入力装置でＧＵＩ操作されることによって実行される。
【００２２】
図５において、情報管理サーバー１５２による定時収録、および、予約収録時において自動割当を行ったスケジュールについて、並びに、報道情報システム１５１から登録されたスケジュールについては、登録時に、収録系統部１００に自動割当が実行され、収録スケジュール表示画面５００のように表示される。例えば、スケジュール表示は、縦軸を系統番号、横軸を時間として、収録素材のタイトルおよび開始時間と終了時間とが分かるように、帯状に表示される。
この時に、自動割当に失敗した収録素材は、割当てＮＧスケジュールとして登録され、収録スケジュール一覧画面５００の割当ＮＧスケジュール一覧５３０に表示される。割当ＮＧスケジュール一覧５３０には、ＮＧ収録素材情報表示欄５３１として、回線名「ＡＺ」、開始日時、終了日時、備考、等が表示され、ＮＧ収録素材情報表示欄５３２として、回線名「ＢＹ」、開始日時、終了日時、備考、等が表示される。
【００２３】
また図５を用いて、割当てＮＧスケジュール５３０内の収録素材の再割当てについて説明する。
割当てＮＧスケジュールを再割当てするには、収録スケジュール一覧画面５００の割当てＮＧスケジュール一覧５３０の画面を用いる方法と、ドラッグ＆ドロップ機能を用いる方法の、２つの方法がある。
再生収録端末１５３若しくは収録端末１５４において、操作者の操作によって、再割当て表示画面の選択操作でのスケジュール再割当て時、若しくはドラッグ＆ドロップ操作でのスケジュール再割当て時において、収録開始時刻が、現在時刻を過ぎている場合（現在時刻を含む）には、即時収録を開始する。即ち、再生収録端末１５３若しくは収録端末１５４において再割当てされた収録素材が、再割当てされた収録時刻になると、情報管理サーバー１５２は、当該収録素材の情報を収録系統部の収録コントローラに通知し、通知を受けた収録コントローラが、再割当てされた収録素材の収録処理を制御する。
この機能を実現するために、本発明は、再生収録端末１５３および収録端末１５４から、情報管理サーバー１５２を介して、収録系統部１００の収録コントローラ１０１に通信し、スケジュール再割り当された収録素材には、スケジュール情報に「即時開始」フラグを設けるようにした。
処理手順は、「即時開始」フラグがあれば、ＭＴＸ確保制御コマンド以降は、手動収録（緊急ＲＥＣ）や仮収録フラグと同様のシーケンスとしている。これにより再割当て操作からの速やかな収録開始を行うことが可能としている。
【００２４】
その結果、再割当てのために即時収録開始フラグがある情報の収録素材は、緊急ＲＥＣボタン押下時と同様にこの処理が可能となり、実際の開始にかかる時間（スタンバイ時間）を、収録ポートの性能向上により短縮できるようにしたものである。
即ち、通常の自動収録スケジュールにおいては、スタンバイ時間が、収録システムのシステム条件として、固定（例えば、３０秒）であるのに対し、収録システムの操作者が、収録ポートの状態に基づいて、任意に設定可能である。その結果、３０秒経過しなくても収録を開始することが可能となるため、迅速な収録ができる。
【００２５】
図６を用いて、再割当て（即時開始）時の処理手順を説明する。図６は、本発明の収録システムの自動収録スケジュール実施環境における再割当て（即時開始）時の処理手順の一実施例を示すタイミングチャートを示す図である。
図６の場合には、性能目標として、緊急ＲＥＣボタンの押下時には、スタンバイ時間を５秒としている。ただし、スケジュール転送の通信情報が増える分が論理に瞬時の処理であり、人間が検知できない程度であるとして、無視している。
なおスケジュール転送処理は並列処理である。
【００２６】
図６において、外部システム６３０として報道情報システム１５１とＭＴＸ１８１、ビデオサーバーシステム６００として情報管理部６０１、収録系統部１００および素材サーバー部６０２のそれぞれの処理動作について、縦軸を時間として示している。なお、情報管理部６０１は情報管理サーバー１５２の処理動作を説明し、収録系統部１００は収録コントローラ１０１、ＭＴＸコントローラ１０５、および収録転送管理サーバー１０９の処理動作を説明し、素材サーバー部６０２は素材管理サーバー１６１と再生収録端末１５３の処理動作を説明する。なお、途中の信号経路は省略する。また、再生収録端末１５３ではなく、収録端末１５４で処理しても良い。即ち、操作者は、どちらの端末を操作しても、処理可能である。
【００２７】
Ｓ６０１では、収録システムは、系統選択による再割当てを行う。次に、再生収録端末１５３は、割当ＮＧ一覧から収録素材を選択し（Ｓ６０２）、操作者の手動による再割当て操作（Ｓ６０３）によって、系統を選択する（Ｓ６０３）。Ｓ６０３の処理では、選択された系統に既にスケジュールがある場合には、エラー表示する。そして、再生収録端末１５３が割当て指示、ＩＤ、系統、および、即時開始のコマンドを情報管理サーバー１５２に出力する（Ｓ６０５）。
情報管理サーバー１５２は、即時開始のコマンドに応答して、指定系統への割当てを行い（Ｓ６０６）、リプライを再生収録端末１５３に返信（出力）する（Ｓ６０７）。再生収録端末１５３はリプライの通知を画面表示する（Ｓ６０８）。
次に、情報管理サーバー１５２は、報道情報システム１５１に、割当てＯＫとして、素材ステータス通知Ｓ６０９を送信し（Ｓ６０９）、報道情報システム１５１からのリプライの返信（Ｓ６１０）および取材予定登録・更新コマンドの送信（Ｓ６１１）を受信する。受信に応答して、情報管理サーバー１５２は、報道情報システム１５１に、リプライを送信し（Ｓ６１２）、素材メタ登録・更新コマンドを返信され（Ｓ６１３）、そのリプライを返信する（Ｓ６１４）。
【００２８】
Ｓ６１４処理後、情報管理サーバー１５２は、収録転送管理サーバー１０９に、スケジュール転送ＩＤと即時開始コマンドを送信する（Ｓ６１５）と共に、スケジュールファイル転送を行う（Ｓ６１６）。
また、情報管理サーバー１５２は、素材管理サーバー１６１に、スケジュール転送ＩＤと即時開始コマンドを送信する（Ｓ６１７）と共に、スケジュールファイル転送を行う（Ｓ６１８）。
また、情報管理サーバー１５２は、収録コントローラ１０１に、スケジュール転送ＩＤと即時開始コマンドを送信する（Ｓ６１９）と共に、スケジュールファイル転送を行う（Ｓ６２０）。
ここで、情報管理サーバー１５２は、Ｓ６０９の処理、Ｓ６１５（およびＳ６１６）の処理、Ｓ６１７（およびＳ６１８）の処理、並びにＳ６１９（およびＳ６２０）の処理を並列に実行する。
【００２９】
次に、収録コントローラ１０１は、ＭＴＸ確保制御コマンドをＭＴＸコントローラ１０５に出力する（Ｓ６２１）。ＭＴＸコントローラ１０５は、ＭＴＸ確保制御コマンドに応答してＭＴＸ１８１にＭＴＸ確保制御信号を送信し（Ｓ６２２）し、ＭＴＸ１８１からのリプライを受信する（Ｓ６２３）。そしてＭＴＸコントローラ１０５は、そのリプライＳ６２３に応答して、収録コントローラ１０１にリプライを出力する（Ｓ６２４）。
収録系統部１００は、その後、収録スタンバイ状態となり（Ｓ６２５）、以降、手動収録（緊急ＲＥＣ）と同様に、スタンバイ時間（３０秒）が無く（スタンバイ完了として）、ビデオサーバーシステム６００では、収録開始の指示が出力される。
図６の処理時間は、収納ポートの機器性能による最大５秒の待機時間とスケジュールのコマンド転送時間の和であり、従来固定であった３０秒のスタンバイ時間に比べ、迅速な収録が可能となった。
【００３０】
図７を用いて、緊急ＲＥＣボタンを押下したときの手動収録（緊急ＲＥＣ）の処理手順を説明する。図７は、本発明の収録システムの自動収録スケジュール実施環境における手動収録（緊急ＲＥＣ）の処理手順の一実施例を示すタイミングチャートを示す図である。
図７の場合には、緊急ＲＥＣボタンの押下から、排他処理、緊急収録ＩＤ作成など、必要な情報処理があるが、いずれも、コントローラのメモリ上での処理であり、瞬時に処理される。また、処理の途中で、収録スタンバイ通知（Ｓ７１７）が通知されるが、手動収録処理の実行を妨げるものではない。
【００３１】
図７において、外部システム６３０として報道情報システム１５１とＭＴＸ１８１、ビデオサーバーシステム６００として情報管理部６０１、収録系統部１００および素材サーバー部６０２のそれぞれの処理動作について、縦軸を時間として示している。なお、情報管理部６０１は情報管理サーバー１５２の処理動作を説明し、収録系統部１００は収録コントローラ１０１、およびＭＴＸコントローラ１０５の処理動作を説明し、素材サーバー部６０２は再生収録端末１５３の処理動作を説明する。なお、途中の信号経路は省略する。また、再生収録端末１５３ではなく、収録端末１５４で処理しても良い。即ち、操作者は、どちらの端末を操作しても、処理可能である。
【００３２】
Ｓ７０１では、再生収録端末１５３は系統選択による再割当てを行う。
次に、再生収録端末１５３は、収録コントローラ１０１に系統選択開始通知を出力する（Ｓ７０２）。収録コントローラ１０１は、系統選択開始通知に対応して、系統排他制御を開始し（Ｓ７０３）、系統使用状況を系統使用状況通知として情報管理サーバー１５２に出力する（Ｓ７０４）。また、再生収録端末１５３は、収録コントローラ１０１に緊急収録指示を出力する（Ｓ７０５）。収録コントローラ１０１は、緊急収録指示に対応して、緊急収録ＩＤを作成し（Ｓ７０６）、作成した緊急収録ＩＤを作成した通知を情報管理サーバー１５２に出力する（Ｓ７０７）と共に、再生収録端末１５３にＩＤ作成通知をリプライする（Ｓ７０８）。
情報管理サーバー１５２は、緊急収録ＩＤ作成通知に応答して、報道情報システム１５１に素材メタ登録要求コマンド（割当済）を出力する（Ｓ７０９）。報道情報システム１５１は、上記割当て済みの素材メタ登録要求コマンドに応答して、コマンドを許容し、取材予定登録・更新コマンド（Ｓ７１０）および素材メタ登録・更新コマンド（Ｓ７１１）を情報管理サーバー１５２に出力する。
【００３３】
また、再生収録端末１５３は、ＭＴＸ選択処理を実行し（Ｓ７１２）、ＭＴＸ確保制御コマンドを収録コントローラ１０１に出力する（Ｓ７１４）。収録コントローラ１０１は、ＭＴＸ確保制御コマンドに応答して、ＭＴＸコントローラ１０５にさらにＭＴＸ確保制御コマンドを出力し（Ｓ７１５）、ＭＴＸコントローラ１０５は、受信したＭＴＸ確保制御コマンドに基づいて、ＭＴＸ１８１に制御信号を出力し、入力の接続系統を確保する（Ｓ７１６）。一方、再生収録端末１５３は、また、ＲＥＣ開始処理を実行し（Ｓ７１３）する。なお、ＭＴＸ選択処理（Ｓ７１２）とＲＥＣ開始処理（Ｓ７１３）の処理は、同時（並行）処理でも良いし、どちらの処理を先行しても良い。
【００３４】
次に、ＭＴＸコントローラ１０５と再生処理端末１５３では、収録スタンバイが実行される（Ｓ７１７）。
その後、収録コントローラ１０１が収録スタンバイ通知を再生収録端末１５３に出力し（Ｓ７２１）、その収録スタンバイ通知に応答して、ＭＴＸコントローラ１０５と再生処理端末１５３では、収録が開始される（Ｓ７２２）。
【００３５】
図８を用いて、収録時刻変更の処理手順を説明する。図８は、本発明の収録システムの自動収録スケジュール実施環境における収録時刻変更時の処理手順の一実施例を示すタイミングチャートを示す図である。
図８の場合には、再割当て後の収録時刻に余裕があるため、自動収録（通常のスケジュール）と同じ方法でスケジュール登録（変更）され、約３０秒後に収録が開始される。また、スケジュール転送の通信情報が増える分が論理に瞬時の処理であり、人間が検知できない程度であるとして、無視している。
なおスケジュール転送処理は並列処理である。
【００３６】
図８においては、外部システム６３０として報道情報システム１５１とＭＴＸ１８１、ビデオサーバーシステム６００として情報管理部６０１、収録系統部１００および素材サーバー部６０２のそれぞれの処理動作について、縦軸を時間として示している。なお、情報管理部６０１は情報管理サーバー１５２の処理動作を説明し、収録系統部１００は収録コントローラ１０１、ＭＴＸコントローラ１０５、および収録転送管理サーバー１０９の処理動作を説明し、素材サーバー部６０２は素材管理サーバー１６１と再生収録端末１５３の処理動作を説明する。なお、途中の信号経路は省略する。また、再生収録端末１５３ではなく、収録端末１５４で処理しても良い。即ち、操作者は、どちらの端末を操作しても、処理可能である。
【００３７】
Ｓ８０１では、再生収録端末１５３は、収録スケジュールの変更の指示を情報管理サーバー１５２に出力する。情報管理サーバー１５２は、収録スケジュールの変更の指示に応答して、素材メタ登録・更新要求コマンド（割当済）を報道情報システム１５１に出力する。報道情報システム１５１は、上記割当て済みの素材メタ登録要求コマンドに応答して、コマンドを許容し、素材メタ登録・更新コマンド（Ｓ８０３）を情報管理サーバー１５２に出力する。
情報管理サーバー１５２は、上記処理Ｓ８０２およびＳ８０３後、Ｓ８０４〜Ｓ８０９の処理を並列処理する。
【００３８】
即ち、情報管理サーバー１５２は、収録転送管理サーバー１０９に、変更されたスケジュールの転送（Ｓ８０４）と変更されたスケジュールファイルの転送（Ｓ８０５）を行う。また、情報管理サーバー１５２は、素材管理サーバー１６１に、変更されたスケジュールの管理情報の転送（Ｓ８０６）と変更されたスケジュールファイルの管理情報の転送（Ｓ８０７）を行う。また、情報管理サーバー１５２は、収録コントローラ１５２に、変更されたスケジュールの転送（Ｓ８０８）と変更されたスケジュールファイルの転送（Ｓ８０９）を行う。
収録コントローラ１５２は、上記情報管理サーバー１５２から入力された情報に基づいて、ＭＴＸコントローラ１０５に、ＭＴＸ確保制御コマンドを出力する（Ｓ８１０）。
【００３９】
以降、ＭＴＸコントローラ１０５と再生処理端末１５３では、収録スタンバイが実行され、その後、収録コントローラ１０１が収録スタンバイ通知を再生収録端末１５３に出力し（Ｓ８１２）、その収録スタンバイ通知に応答して、ＭＴＸコントローラ１０５と再生処理端末１５３では、収録が開始される（Ｓ８２１）。
【００４０】
上述した図６〜図８の自動収録スケジュール実施環境における本発明の実施例において、図６で説明したタイミングチャートの再割当て（即時開始）時の処理手順の場合には、処理時間は、収納ポートの機器性能による最大５秒の待機時間とスケジュールのコマンド転送時間の和であり、従来固定であった３０秒のスタンバイ時間に比べ、迅速な収録が可能となった。
そして、図８で説明したタイミングチャートの場合には、再割当て後の収録時刻に余裕があるため、自動収録（通常のスケジュール）と同じ方法でスケジュール登録（変更）され、約３０秒後に収録が開始される。
さらに上記説明の他、図７で説明したタイミングチャートのように、緊急ＲＥＣボタンを押下したときの手動収録（緊急ＲＥＣ）の処理手順の場合には、緊急ＲＥＣボタンの押下から、ほぼ瞬時に収録処理がなされる。
【００４１】
上述の実施例によれば、割当ＮＧスケジュールを再割当てしたときに、収録開始時刻が、現在の時刻であるか若しくは現在の時刻を過ぎている場合には、収録ポートの性能や通信上の遅延の発生を除いて、可能な限り迅速に、即時、収録を開始することが可能となった。
さらに、収録素材の開始タイムコードは開始結果が反映されるため、開始位置は結果より判定可能である。
【符号の説明】
【００４２】
１００；収録系統部、  １０１；収録コントローラ、  １０２；収録制御切替器、  １０３；１６分割制御装置、  １０４；１６分割合成装置、  １０５；マトリックス（ＭＴＸ）コントローラ、  １０６；ＲＳ４２２切替器、  １０７；２：１切替器、  １０８；高解像度／低解像度エンコーダ、  １０９；収録転送管理サーバー、  １５１；報道情報、  １５２；情報管理サーバー、  １５３；再生収録端末、  １５４；収録端末、  １６１；素材管理サーバー、  １６２；プロキシ管理サーバー、  １７１；素材サーバー、  １７２；プロキシサーバー、  １８１；ＭＴＸ、  ５００；収録スケジュール表示画面、  ５１０；収録スケジュール一覧表、  ５１１〜５１３；割当てられた収録素材のタイトル、  ５３０；割当てＮＧスケジュール一覧表、  ５３１、５３２；ＮＧ収録素材情報表示欄、  ５４１；再割当ボタン。
【図１】
0005466583.tif 000002
【図２】
0005466583.tif 000003
【図３】
0005466583.tif 000004
【図４】
0005466583.tif 000005
【図５】
0005466583.tif 000006
【図６】
0005466583.tif 000007
【図７】
0005466583.tif 000008
【図８】
0005466583.tif 000009